(57)【特許請求の範囲】
【請求項１】
変形可能な眼内レンズを眼内に挿入するために眼球に設けられた切開創に挿入するための挿入筒部と該挿入筒部の基端側に設けられ眼内レンズを載置する載置部とを有した眼内レンズ挿入器具と，該眼内レンズ挿入器具を保持するためのホルダとを備える眼内レンズ挿入システムにおいて、
前記ホルダは、前記眼内レンズ挿入器具を固定保持させるための取付部材と、該取付部材により前記眼内レンズ挿入器具が固定保持された状態でホルダのベースから前記載置部に形成される内部空間まで垂直に延びる柱状部材であって，前記載置部内に位置する前記眼内レンズの移動を規制する柱状部材と、を有し、
前記ホルダから前記眼内レンズ挿入器具を取り外す動作に応じて前記眼内レンズを前記柱状部材による規制から開放することを特徴とする眼内レンズ挿入システム。
【請求項２】
請求項１の眼内レンズ挿入システムにおいて、前記柱状部材は、その上端に前記眼内レンズを載置させることによって前記載置部内の中空に前記眼内レンズを位置させて保持するための保持手段であって，載置される前記眼内レンズの水平方向への移動を規制し上方への移動を許容する保持手段が形成されていることを特徴とする眼内レンズ挿入システム。
【発明の詳細な説明】
【技術分野】
【０００１】
本発明は、眼内レンズを眼内に挿入する眼内レンズ挿入システムに関する。
【背景技術】
【０００２】
従来、白内障の手術方法の一つとして水晶体を摘出した後、水晶体の代わりとして眼内レンズを挿入する手法が一般的に用いられている。眼内レンズを挿入するには、はじめに眼球に眼内レンズを挿入するための切開創を設け、この切開創より内部の白濁した水晶体を超音波白内障手術装置等にて破砕して吸引しておく。次に、切開創から水晶体があった場所に眼内レンズを挿入する。
【０００３】
このように眼内レンズを挿入する際には、インジェクタと呼ばれる眼内レンズ挿入器具を使用する方法が一般的である。このようなインジェクタには、眼内レンズを載置するための保持具（カートリッジ）をレンズパッケージ（レンズケース）として用い、カートリッジより眼内レンズを送出するハンドピースをカートリッジに取り付けて、インジェクタをするものが知られている。また、カートリッジとハンドピースが予め一体となったものが知られている。このようなインジェクタには、運搬時等に眼内レンズがカートリッジ内で動かないように位置固定させる機構を有するものが知られている。（特許文献１参照）。
【特許文献１】特開２００４−２９０６９０号公報
【発明の開示】
【発明が解決しようとする課題】
【０００４】
前述したようなインジェクタは、運搬時における破損等の防止のためホルダ（包装材）に固定保持され収められる。このようなインジェクタを使用する際には、インジェクタをホルダから取り外した後に、眼内レンズの固定状態を解除することとなる。このため、従来のシステムではインジェクタを使用するために２段階の手間をかけることとなる。
【０００５】
本発明は上記従来技術の問題点に鑑み、簡単な構成で手間をかけることなく、眼内レンズの位置固定を解除でき、使用可能とすることができる眼内レンズ挿入システムを提供することを技術課題とする。
【課題を解決するための手段】
【０００６】
上記課題を解決するために、本発明は以下のような構成を備えることを特徴とする。
（１）  変形可能な眼内レンズを眼内に挿入するために眼球に設けられた切開創に挿入するための挿入筒部と該挿入筒部の基端側に設けられ眼内レンズを載置する載置部とを有した眼内レンズ挿入器具と，該眼内レンズ挿入器具を保持するためのホルダとを備える眼内レンズ挿入システムにおいて、前記ホルダは、前記眼内レンズ挿入器具を固定保持させるための取付部材と、該取付部材により前記眼内レンズ挿入器具が固定保持された状態でホルダのベースから前記載置部に形成される内部空間まで垂直に延びる柱状部材であって，前記載置部内に位置する前記眼内レンズの移動を規制する柱状部材と、を有し、前記ホルダから前記眼内レンズ挿入器具を取り外す動作に応じて前記眼内レンズを前記柱状部材による規制から開放することを特徴とする。
（２）  （１）の眼内レンズ挿入システムにおいて、前記柱状部材は、その上端に前記眼内レンズを載置させることによって前記載置部内の中空に前記眼内レンズを位置させて保持するための保持手段であって，載置される前記眼内レンズの水平方向への移動を規制し上方への移動を許容する保持手段が形成されていることを特徴とする。
【発明の効果】
【０００７】
本発明によれば、手間をかけることなく眼内レンズ挿入器具を使用可能な状態にすることができる。
【発明を実施するための最良の形態】
【０００８】
以下に本発明の実施の形態を図面に示しながら説明する。
図１は本発明の実施形態である眼内レンズ挿入システムの外観概略図である。１００は眼内レンズ挿入システムである。眼内レンズ挿入システム１００は、大別して眼内レンズ挿入器具５０（以下、インジェクタと記す）と、インジェクタ５０を固定保持するためのホルダ（包装材）３０とからなる。インジェクタ５０は、内部に眼内レンズを保持するレンズ保持部１０（以下、カートリッジと記す）と、先端にカートリッジ１０を装着し、眼内レンズを送出するための挿入器具本体２０（以下、ハンドピースと記す）からなる。ホルダ３０はインジェクタ５０全体を固定し包装する。使用時には、ホルダ３０からインジェクタ５０を取り外し、インジェクタ５０より眼内レンズを送出する。なお、インジェクタ５０は一度の使用で廃棄する使い捨てタイプ（ディスポーザブルタイプ）である。
【０００９】
図２に示すように、眼内レンズ１は所定の屈折力を有する光学部２と、光学部２を眼内で支持するための支持部３からなる。本実施形態で用いる眼内レンズ１の光学部２は、例えばＨＥＭＡ（ヒドロキシエチルメタクリレート）等の単体や、アクリル酸エステルとメタクリル酸エステルの複合材料からなる従来、折り曲げ可能な軟性の眼内レンズに用いられている材料から形成されている。また、支持部３もＰＭＭＡ（ポリメチルメタクリレート）等の従来、眼内レンズの支持部として用いられている材料から形成されている。
【００１０】
図３は本実施形態のレンズ保持部であるカートリッジ１０の概略構成を示す斜視図である。カートリッジ１０は、図示するように、先端に向かうにしたがって、その径が徐々に小さく（細く）なるテーパ形状を有する挿入部１１と、眼内レンズ１を設置する載置部１２とが一体的に形成されている。
【００１１】
挿入部１１は中空の筒形状となっており、折りたたまれた眼内レンズ１が、この中空部分を通して外部に送り出されるようになっている。また、載置部１２は、２つの半割部材１２ａ，１２ｂから形成されており、図３に示すように、半割部材１２ａ及び１２ｂの下縁同士がヒンジ部１３によって連結され、開閉可能となっている。１４ａ及び１４ｂは半割部材１２ａ，１２ｂに各々設けられた載置台（面）であり、眼内レンズ１を載せる載置面の形状（壁面形状）は、眼内レンズ１を折り曲げる方向に沿った曲面を有している。なお、ヒンジ部１３によって連結された半割部材１２ａ及び１２ｂは、所定の間隔を維持できる程度に半開状態を維持できる構成となっている。所定の間隔をとる構成とは、載置部１２に眼内レンズ１を載置した状態であっても、半割部材１２ａ及び１２ｂが眼内レンズ１に対して折り曲げるだけの応力をかけることなく、眼内レンズ１を両側から挟み込んで、眼内レンズ１の左右の移動を規制している構造を指す。１８はウイングで、カートリッジ１０をハンドピース２０に固定する際に用いられる。図中の矢印は、眼内レンズ１がカートリッジ１０に収められる向きを示している。
【００１２】
また、半割部材１２ａ及び１２ｂを閉じ合わせると、載置台の壁面形状（載置面形状）が変形し、挿入部１１の基端側開口形状（半円形状）と略一致するようになっている。１５ａ及び１５ｂは、半割部材１２ａ、１２ｂの各々の上部に設けられたカバーであり、半割部材１２ａと半割部材１２ｂとが閉じ合ったときに、載置台１４ａ及び載置台１４ｂの上方を覆うように形成されている。なお、カバー１５ｂの端部には、カバー１５ｂの長手方向に沿って載置台の上方から載置台に向かって延びるように形成された凸部１６が設けてある。この凸部１６は、カートリッジ１０にセットされた眼内レンズ１を折り曲げる際に、その折り曲げを常に載置台の内壁面（載置面）に沿って行うように規制する役目を果たしている。0
１７ａ、１７ｂは半割部材１２ａ、１２ｂにそれぞれ設けれらた嵌合部材である。図示するように、嵌合部材１７ａ、１７ｂは、カバー１５ａ、１５ｂの面から上方にのびた部材であり、嵌合部材１７ａには、嵌合部材１７ａ，１７ｂ同士を閉じ合わせるためのフック１７ａ2と、フック１７ａ2と嵌合する１７ｂ上の側部側部１７ｂ2とが設けらている。けられている。半割部材１２ａと１２ｂが閉じられる際に、嵌合部材１７ａと１７ｂが合わさる。このとき、フック１７ａ2と側部１７ｂ2が嵌め合い、載置部１２が閉じ合わさり、半割部材１２ａと１２ｂはヒンジ１３による半開状態から、閉じ合わさった状態となる。
【００１３】
図４はハンドピース２０の構成を示す概略図である。図４（ａ）はハンドピースの概略構成を示した斜視図、図４（ｂ）は概略断面図を示す。図示するように、ハンドピース２０は中空の筒である筒部２６を持ち、その先端には、カートリッジ１０を装着するための装着部２０ａが設けられている。筒部２６の内部には眼内レンズ１を押し出すための押出手段となる押出棒２５が設けられ、筒部２６の外周には眼内レンズ１の挿入時に術者が指をかける部材となる取手２４が設けられている。
【００１４】
図示するように、装着部２０ａは、ガイド２１、凸部２２、固定部２３により構成される。ガイド２１はハンドピース２０の先端を円周で４分の１程度残した形状をしている。カートリッジ１０取付時には、ガイド２１に半割部材１２ａの底面が当接する。半割部材１２ａは円形状をしているため、ガイド２１に密着固定される。このとき、半割部材１２ｂは固定しないため、載置台１２は閉じられることがない。
【００１５】
凸部２２はハンドピース２０の中心軸を取り囲むように、円周の２分の１よりやや長めの円弧からなる略Ｃ字形状にて形成されている。また、ガイド２１上に設けられた固定部２３の両端には、カートリッジ１０を装着した際にウイング１８の基端を固定保持するための固定部２３ａ，２３ｂが形成されている。
【００１６】
また、凸部２２の先端は、押出棒２５の軸を取り囲むように設けられて。このため、カートリッジ１０を差し込むと、挿入部１１の根元部分を把持し、カートリッジ１０の動きを制限する。固定部２３は、ハンドピース２０の中心軸よりも若干上方に位置しており、差し込まれたカートリッジ１０の動きを規制する。また、凸部２２と固定部２３ａとの間は、カートリッジ１０の挿入部１１の根元から半割部材１２ａ、１２ｂの端までの前後方向の幅と略一致しており、カートリッジ１０が凸部２２と収まる構造となっている。また、ガイト２１はカートリッジ１０の半割部材１２ａを保持し、カートリッジ１０の動きを規制する。
【００１７】
なお、凸部２２は、装着されたカートリッジ１０を係止し、容易にハンドピース２０から外れないようにするスナップイン構造を有していてもよい。また、ガイド２１の円周は、筒部２６の円周に対し、４分の１程度である。このため、ガイド２１は半割部材１２ａをハンドピース２０に固定するのみで、半割部材１２ｂを固定はしない。よって、半割部材１２ａ，１２ｂを閉じ合わせる方向の力が生じない。従って、カートリッジ１０にハンドピース２０が装着されても、カートリッジ１０の半開状態は維持される。
【００１８】
図５はインジェクタ５０を固定するホルダ３０を示す図である。図５の（ａ）は上から見た概略図であり、図５（ｂ）はホルダ３０の断面概略図である。ベース部３１の周囲には、囲い３２が壁状に各々設けられ、保持されるインジェクタ５０を保護する役割を持っている。また、ベース部３１にはインジェクター５０を取り付け、固定するための取付手段となる基台３３が設けられている。基台３３はハンドピース２０の筒部を両側から挟持するように設けられた基台３３ａと、押出棒２５を下方から支えるように設けられた基台３３ｂからなる。これらの基台３３はベース部３１から上方にのびるように設けられる。基台３３ａは２つの部材が対面するように配置され、部材の上方にハンドピース２０の筒部が嵌め込まれるような円弧上の座繰りが設けられている。基台３３ｂの上端には、押出棒２５を収めるような円弧上の座繰りが設けられている。このホルダ３０は、樹脂からの一体成型でつくられる。３４は載置台１２に位置する眼内レンズ１の前後方向（軸方向）への移動を規制する規制部材である。規制部材３４の横幅は、光学部２の径よりも短くされているとともに、ホルダ３０からインジェクタ５０を取り外す方向に所定量だけ延びている。また、規制部材３４の上端には、眼内レンズ１の光学部２を載置するための窪み３５が設けられている。また、図示するように、窪み３５によって前後（紙面左右）に形成される側壁３４ａは、眼内レンズ１の光学部２の径に合わせた曲面を有しており、窪み３５に眼内レンズ１（光学部２）を載置した際に、側壁３４ａにより光学部２を前後方向から挟持する構成となっている。また、窪み３５の光学部２が載置される底部分は、所定の曲率でカーブが付けられており、光学部２を載置した際に窪み３５の底部分に対して光学部２の中心以外の周辺部分で当接できるようになっている。このような構成により、眼内レンズ１をより安定して載置（保持）することができる。また、規制部材３４は、窪み３５に眼内レンズ１を収めることで、眼内レンズ１を保管する保管部を兼ねることとなる。
【００１９】
なお、前述したように規制部材３４の横幅は、光学部２の径よりも短くされており、カートリッジ１０（半割部材１２ａ，１２ｂ）の半開を邪魔をしないとともに、載置された光学部２の一部が窪み３５から、横方向（紙面上下方向）にせり出すようになっている。
【００２０】
図６はホルダ３０の基台３３にインジェクタ５０が取り付けられ、ホルダ３０に固定保持された状態を示す図である。ここでインジェクタ５０は、ハンドピース２０にカートリッジ１０が装着された状態となっている。図６の（ａ）は一体となった眼内レンズ挿入システム１００を上から見たときの概略図、図６（ｂ）はその概略断面図を示す。カートリッジ１０の載置台１２は、外力が加えられていない状態では半開状態となっており、規制部材３４の窪み３５に置かれている眼内レンズ１は、カートリッジ１０に覆われる。このような構成により、眼内レンズ１とインジェクター５０が保護される。なお、図示するように、押出棒２５は基台３３ｂにより、軸方向への動きを規制される。押出棒２５の先端は、カートリッジ１０の基端よりも、ハンドピース２０側に置かれる。このような構成により、インジェクタ５０の運搬中に、眼内レンズ１が押出棒２５により送出されることを低減できる。
【００２１】
図７は、図６（ｂ）のＡ−Ａ´での断面図を示す。眼内レンズ１の光学部２が、規制部材３４に載置され、カートリッジ１０に覆われることにより、載置部１２の内壁に接触しない状態で載置部１２内に形成される中空部分に位置している。規制部材３４の幅は、図示するように光学部２の径よりも短くなっており、光学部２は規制部材３４からせり出して載置されているため、ホルダ３０からインジェクタ５０を図示する矢印方向に向けて取り外す際に、眼内レンズ１が半開しているカートリッジ１０の載置台１４ａ，１４ｂに引っ掛かり、載置部１２内に残ることとなる。
【００２２】
以上のような構成を持つ眼内レンズ挿入システム１００を使用する動作を説明する。まず、術者（使用者）は、眼内レンズ挿入システム１００を、無菌状態を維持するためのケース（図示を略す）から取り外した後、ホルダ３０からインジェクタ５０を取り外す。このとき、図７に示す矢印の方向（ホルダ３０から真上に引き抜く方向）にカートリッジ１０が移動することとなるこのとき、窪み３５に載置されている眼内レンズ１は、取り外す方向に対して移動が規制されていないため、、カートリッジ１０の移動とともに載置台１４ａ，１４ｂに当接した状態で押し上げられ、規制部材３４（窪み３５）から外れ、カートリッジ１０内部に残る。
【００２３】
次に、術者は、載置台１４ａ，１４ｂの間から粘弾性物質をカートリッジ１０内に注入し、カートリッジ１０の嵌合部材１７ａ、１７ｂを閉じ合わせ、フック１７ａ2と側部１７ｂ2を嵌める。この動作により、半割部材１２ａ、１２ｂが閉じ合わされる。このとき、載置台１４ａと載置台１４ｂとの幅（間隔）が狭くなっているため、載置台の壁面にて眼内レンズ１を左右方向から押すこととなる。その結果、眼内レンズ１に応力が掛けられた状態となり、眼内レンズ１は載置台１４ａ，１４ｂの壁面（載置面）に沿って折り曲げられることとなる。なお、眼内レンズ１が反対側に折り曲げられようとした場合には、眼内レンズ１の上面が凸部１６に当たり、その方向への折り曲げが規制されるため、最終的には載置台１４ａ，１４ｂの壁面に沿って折り曲げられることとなる。
【００２４】
眼内レンズ１がインジェクタ５０に装填された後に、押出棒２５を押して、押出棒２５を前方に移動させていく。押出棒２５は、ハンドピース２０の筒内を先端に向かって移動し、眼内レンズ１を前方の挿入部１１に押していく。眼内レンズ１が挿入部１１内に入り、挿入部１１の開口径が狭くなってくると、眼内レンズ１は挿入部１１内部の壁面に沿って折り曲げられていく（丸め込まれていく）。その結果、挿入部１１の先端から小さく折り曲げられた眼内レンズ１が眼内に押出されることとなる。
【００２５】
以上説明した本実施形態では、インジェクタ５０をホルダ３０から取り出す１つの動作に連動して、カートリッジ内の眼内レンズの移動規制を解除することができる。このため、従来のように、インジェクタをホルダから取り出した後に、さらに眼内レンズの移動規制を解除する別動作が必要なくなる。
【００２６】
以上説明した実施形態は一例である。他の第二の実施形態である変容例を以下に示す。図８は変容例で用いるホルダを示す図である。図８の（ａ）は上面図、（ｂ）は断面図を示す。４０は本実施形態変容例であるホルダである。４１、４２、４３（４３ａ、４３ｂ）は前述のベース部３１、壁３２、基台３３（３３ａ、３３ｂ）と同様なので、説明を割愛する。４４は規制部材で、前述の規制部材３４の窪み３５がない。規制部材４４は、前述した側壁３４ａと同様の構造をしており、眼内レンズ１の光学部２の径に合わせた曲面を有している。このような構造によって、規制部材４４は眼内レンズ１の光学部２を挟む。
【００２７】
図９は、ホルダ４０にインジェクタ５０が装着された図を示す。図９の（ａ）は、上面図を、（ｂ）は断面図を示す。図９に示すように、ホルダ４０とインジェクタ５０から、変容例である眼内レンズ挿入システム１１０を構成する。図９（ｂ）に示されるように、光学部２が規制部材４４に挟まれ、その前後方向（軸方向）の動きを規制されている。この変容例では、窪み３５がないために、光学部２はカートリッジの内壁、例えば、載置部１４ａ、１４ｂに接触することにより、落下を防ぐ構成となっている。このような構成をとること以外は、先に述べた規制部材３４及び窪み３５を持つホルダ３０の機能と同じで、インジェクタ５０をホルダ４０から取り外すという１つの動作で、眼内レンズ１の動きを規制を解除できる。インジェクタ５０をホルダ４０から取り外した後は、前述と同様に、眼内レンズ１をインジェクタ５０に装填して使用する。なお、このような構成では、規制部材により眼内レンズ１の前後方向の移動を規制し、載置部１４ａ，１４ｂによって光学部２を載置しているため、光学部２を規制部材４４によって挟み込む必要はなく、所定の間隔を有していてもよい。
【００２８】
以上説明した本実施例は、眼内レンズ１のカートリッジ１０の載置台１２が２つの半割部材１２ａ、ｂで構成され、半開した半割部材１２ａ、１２ｂの間に、規制部材が差し込まれることによって、眼内レンズ１の動きを規制していたが、これに限るものではない。ホルダから眼内レンズ挿入器具を取り外す動作に応じて眼内レンズを規制部材による規制から開放する機能を有するものであればよい。以下に、カートリッジの載置台が分割されない構成にて眼内レンズの移動規制を備える実施形態について説明する。
【００２９】
図１０は第三の実施形態である眼内レンズ挿入システム１２０を示した図である。図１０（ａ）は眼内レンズ挿入システム１２０の概略側面図を示し、図１０（ｂ）は眼内レンズ挿入システム１２０の概略断面図を示している。眼内レンズ挿入システム１２０は、先に説明した眼内レンズ挿入システム１００と同様の構成をしているため、変容例と直接関係のない部分の説明は省略する。
【００３０】
６０はインジェクタで、７０はインジェクタ６０を固定保持するホルダである。インジェクタ６０は、内部に眼内レンズを保持するカートリッジ８０と、先端にカートリッジ８０を装着し、眼内レンズを送出するためのハンドピース９０からなる。この眼内レンズ挿入システム１２０は、カートリッジ８０は前述のカートリッジ１０とは異なり、眼内レンズ１を載置する載置部８２の底面に、規制部材を通すための２つの孔８３があいている。孔８３は、後述する規制部材を通す形状になっている。８４は載置部８２の上部に設けられたカバーであり、このカバー８４を開いて眼内レンズ１を載置部８２内に入れることができる。７４は規制部材であり、前述の規制部材３４と同様の構成をとっており、側壁７４ａと窪み７５を有している。この側壁７４ａと窪み７４で、眼内レンズ１の光学部２を保持する。
【００３１】
このような構成を備える眼内レンズ挿入システム１２０の動作を説明する。まず、製造者側での眼内レンズ１の設置（装填）について説明する。カートリッジ８０とハンドピース９０を嵌合させ、インジェクタ６０とする。インジェクタ６０をホルダ７０に嵌め込み固定させる。このとき、孔８３に規制部材７４が通され、カートリッジ８０内（載置部８２内）に規制部材７４が差し込まれる。その後、カバー８４を開け、眼内レンズ１をカートリッジ８０内の規制部材７４の窪み８５に載置する。カバー８４を閉じた後、眼内レンズ挿入システム１２０がホルダ７０に固定保持された状態で図示しないケースや袋等に入れ、密封した後、滅菌を行う。
【００３２】
このような状態にして、眼内レンズ１が装填された眼内レンズ挿入システム１２０を出荷する。このとき、眼内レンズ１は、カートリッジ８０内の中空に位置（載置台に接触しない状態）され、運搬時の衝撃等から保護される。
【００３３】
術者がインジェクタ６０を使用する場合には、眼内レンズ挿入システム１２０をケースや袋等から取り出した後、インジェクタ６０をホルダ７０から取り外す（図においては紙面上方に取り外す）。このとき、規制部材７４はカートリッジ８０から抜かれ、規制部材７４に保持されていた眼内レンズ１は載置部８２に残ることとなる。この動作によって、眼内レンズ１の移動規制が解除され、眼内レンズ１はインジェクタ６０から送出可能となる。
【００３４】
なお、孔８３は、眼内レンズ１がカートリッジ８０内から落ちない程度の大きさであって、眼内レンズ１の送出動作に影響がない程度の大きさが好ましい。
【００３５】
以上説明した変容例では、規制部材によって、眼内レンズ１を載置台に接触させない状態にて保持したが、これに限るものではない。前述した実施例にあるような、窪みを有しない規制部材を用いてもよい。なお、載置台に設けられた２つの孔を、インジェクタ使用時に塞ぐカバーなどを設けてもよい。
【００３６】
なお、以上説明した本実施形態及び変容例では、図１に示すように、カートリッジとハンドピースが一体となったインジェクタがホルダに保持されて、術者に提供される形態であったが、この形態に限るものではない。カートリッジのみをホルダに取り付けた後に包装、滅菌などを行い、出荷する形態であってもよい。ホルダに設けられた取付部材にカートリッジが取り付けられ、カートリッジの内部に眼内レンズが載置又は中空で保持される。このとき、眼内レンズの動きはホルダに設けられた規制部材により規制される。このような眼内レンズ挿入システムでは、使用する際に、術者がカートリッジとホルダの包装を取り去った後に、ハンドピースをカートリッジに嵌合させ、インジェクタを構成させる。術者は先に説明したのと同様に、インジェクタをホルダから取り外し、インジェクタ内の眼内レンズを送出可能とする。そして、眼内レンスを患者眼の切開創から挿入する。このとき、カートリッジは、先に説明したようにディスポーサブルとするが、ハンドピースはリユーサブルのものを用いる。ハンドピースは繰り返し滅菌可能な素材、例えば、金蔵や耐熱性の特殊なゴム等で作製される。なお、規制部材には先に述べた眼内レンズ保持手段としての窪みを設けてもよい。窪みを設けることにより、眼内レンズをカートリッジ内の中空位置で保持できる。
【図面の簡単な説明】
【００３７】
【図１】本発明の実施形態である眼内レンズ挿入システムの外観概略図である。
【図２】本実施形態で用いる眼内レンズの外観図である。
【図３】レンズ保持部であるカートリッジの概略構成を示す斜視図である。
【図４】ハンドピース２０の概略図である。
【図５】インジェクタ５０を固定するホルダ３０を示す図である。
【図６】ホルダ３０にインジェクタ５０が取り付けられた状態を示す図である。
【図７】カートリッジ１０の図６（ｂ）のＡ−Ａ´での断面を示した図である。
【図８】第２実施形態で用いるホルダ４０を示す図である。
【図９】ホルダ４０にインジェクタ５０が取り付けられた状態を示す図である。
【図１０】第３実施形態の眼内レンズ挿入システム１２０を示す図である。
【符号の説明】
【００３８】
１  眼内レンズ
２  光学部
１０  カートリッジ
１２ａ、１２ｂ  半割部材
１４ａ、１４ｂ  載置台
２０  ハンドピース
３０、４０、７０  ホルダ
３３、３３ａ、３３ｂ  基台
３４、４４  規制部材
３４ａ  側壁
３５  窪み
５０、６０  インジェクタ
１００、１１０、１２０  眼内レンズ挿入システム
【図１】
0004520390.tif 000002
【図２】
0004520390.tif 000003
【図３】
0004520390.tif 000004
【図４】
0004520390.tif 000005
【図５】
0004520390.tif 000006
【図６】
0004520390.tif 000007
【図７】
0004520390.tif 000008
【図８】
0004520390.tif 000009
【図９】
0004520390.tif 000010
【図１０】
0004520390.tif 000011